(57)【要約】【課題】作業者の熟練度の有無に関係なく、各ＬＥＤヘッドの位置を正確に調整することが可能な画像形成装置を提供する。【解決手段】画像形成装置の本体部は、作像手段３００と、転写手段３３０と、ピント検出システム４００とを含んで構成される。ピント検出システム４００は、像担時体３１０に対する撮像手段１００の焦点を調整することができるように、具体的には、撮像手段１００の各ＬＥＤヘッドの位置を正確に調整することができるように構成される。ピント検出システム４００は、調整機構２００と、検知手段４１０と、調整機構制御手段４２０とを含んで構成される。【選択図】図１
2014188719.tif 000002
【特許請求の範囲】
【請求項１】
複数のＬＥＤ素子を主走査方向にアレイ状に並べたＬＥＤヘッドを複数本有し、該複数本のＬＥＤヘッドを副走査方向に千鳥状に配置してなる撮像手段と、
ドラム形状に形成されるとともに、この表面に前記撮像手段により静電潜像が形成される像担時体と、
該像担時体に形成された前記静電潜像にトナーを付着させてトナー像を形成する現像手段と、
前記トナー像が転写される転写ベルトと、
該転写ベルトに転写された前記トナー像を記録媒体まで搬送するため前記転写ベルトを駆動する転写ベルト駆動部と、
を構成に含む画像形成装置において、
前記像担時体に形成された前記トナー像、前記転写ベルトに転写された前記トナー像、及び前記記録媒体に転写された前記トナー像のいずれかを検知対象としてこれを検知する検知手段と、
前記像担時体に対する前記撮像手段の前記複数のＬＥＤヘッドの位置を調整する調整機構と、
該調整機構を制御するとともに、前記検知手段により検知された前記トナー像の検知結果から前記複数のＬＥＤヘッドの位置調整量を求め、該位置調整量に基づいて前記像担時体に対する前記複数のＬＥＤヘッドの位置を決定する調整機構制御手段と、
を更に構成に含む
ことを特徴とする画像形成装置。
【請求項２】
請求項１に記載の画像形成装置において、
前記検知手段による前記検知対象としての前記トナー像を、複数のラインからなるピント調整パターンとする
ことを特徴とする画像形成装置。
【請求項３】
請求項２に記載の画像形成装置において、
前記検知手段として前記ピント調整パターンの濃度を測定する濃度センサーを含むとともに、測定された前記濃度を前記検知結果とする
ことを特徴とする画像形成装置。
【請求項４】
請求項３に記載の画像形成装置において、
前記調整機構と前記調整機構制御手段とにより前記複数のＬＥＤヘッドを一定量移動させ、この移動毎に前記検知手段にて前記ピント調整パターンの前記濃度を測定する
ことを特徴とする画像形成装置。
【請求項５】
請求項４に記載の画像形成装置において、
前記ピント調整パターンの前記濃度が最も薄くなる前記検知結果に基づいて前記位置調整量を求める
ことを特徴とする画像形成装置。
【請求項６】
請求項１、２、３、４又は５に記載の画像形成装置において、
前記検知手段を、前記複数本のＬＥＤヘッドの各ＬＥＤヘッド端部位置に合わせて配置する
ことを特徴とする画像形成装置。
【請求項７】
請求項１、２、３、４、５又は６に記載の画像形成装置において、
前記検知手段を前記トナーの色の数だけ備えるとともに、前記検知手段を前記色毎に前記検知対象としての前記トナー像に合わせて配置する
ことを特徴とする画像形成装置。
【発明の詳細な説明】
【技術分野】
【０００１】
本発明は、画像形成装置に関するものであり、特に撮像手段の焦点を調整する調整機構を備えた画像形成装置に関するものである。
【背景技術】
【０００２】
従来の画像形成装置として、下記特許文献１、２に開示されたものが知られる。先ず、特許文献１に開示された画像形成装置について説明をすると、この画像形成装置は、撮像手段として露光装置３１を備える。また、調整機構を備える。露光装置３１は、ＬＥＤヘッド３１ａ、３１ｂ、３１ｃを備え、感光体ドラム１１の軸心方向に沿ってＬＥＤヘッド３１ａ、３１ｂ、３１ｃを複数配置することにより形成される。このような露光装置３１は、調整機構により、感光体ドラム１１の移動経路に沿って回動可能に支持される。
【０００３】
次に、下記特許文献２に開示された画像形成装置について説明をすると、画像形成装置は、撮像手段と、この撮像手段の焦点を調整する調整機構とを備える。撮像手段は、第１のＬＥＤヘッド１ａと第２のＬＥＤヘッド１ｂと第３のＬＥＤヘッド１ｃとを備え、これら第１のＬＥＤヘッド１ａ〜第３のＬＥＤヘッド１ｃは、交互に配置される。一方、調整機構は、第１の調整機構と第２の調整機構とを備える。第１の調整機構は、第１のＬＥＤヘッド１ａ及び第３のＬＥＤヘッド１ｃに対し副走査方向の移動を規制して主走査方向の配列位置を調整することができるように形成される。一方、第２の調整機構は、第２のＬＥＤヘッド１ｂに対し主走査方向の移動を規制して副走査方向の配列位置を調整することができるように形成される。
【先行技術文献】
【特許文献】
【０００４】
【特許文献１】特開２００８−９３８７６号公報
【特許文献２】特許第４０８２０３７号公報
【発明の概要】
【発明が解決しようとする課題】
【０００５】
露光装置内に配設される複数のＬＥＤヘッドの調整は、予め専用の調整治具を用いてＬＥＤヘッド単体毎に行われる。そして、調整後のＬＥＤヘッドは露光装置内に組み付けられ、その後、露光装置は装置本体に取り付けられる。
【０００６】
ところで、露光装置の装置本体への取り付けにあっては、露光装置を所定の正確な位置に取り付けることが困難であるという問題点を有する。それは、装置本体を構成する部品の公差や組み付け（取り付け）誤差があるからでる。そのため、露光装置を装置本体に取り付けた状態で作業者が調整用パターンを印字し、この印字結果を見ながら調整を行わなければならないという問題点も有する。
【０００７】
また、調整用パターンの印字結果を見ながら各ＬＥＤヘッド位置の調整を行わなければならないことから、作業者の熟練度により調整時間や調整精度等の品質にバラツキが生じてしまうという問題点も有する。
【０００８】
本発明は、上記した事情に鑑みてなされたもので、作業者の熟練度の有無に関係なく、各ＬＥＤヘッドの位置を正確に調整することが可能な画像形成装置を提供することを課題とする。
【課題を解決するための手段】
【０００９】
上記課題を解決するためになされた請求項１に記載の本発明は、複数のＬＥＤ素子を主走査方向にアレイ状に並べたＬＥＤヘッドを複数本有し、該複数本のＬＥＤヘッドを副走査方向に千鳥状に配置してなる撮像手段と、ドラム形状に形成されるとともに、この表面に前記撮像手段により静電潜像が形成される像担時体と、該像担時体に形成された前記静電潜像にトナーを付着させてトナー像を形成する現像手段と、前記トナー像が転写される転写ベルトと、該転写ベルトに転写された前記トナー像を記録媒体まで搬送するため前記転写ベルトを駆動する転写ベルト駆動部と、を構成に含む画像形成装置において、前記像担時体に形成された前記トナー像、前記転写ベルトに転写された前記トナー像、及び前記記録媒体に転写された前記トナー像のいずれかを検知対象としてこれを検知する検知手段と、前記像担時体に対する前記撮像手段の前記複数のＬＥＤヘッドの位置を調整する調整機構と、該調整機構を制御するとともに、前記検知手段により検知された前記トナー像の検知結果から前記複数のＬＥＤヘッドの位置調整量を求め、該位置調整量に基づいて前記像担時体に対する前記複数のＬＥＤヘッドの位置を決定する調整機構制御手段と、を更に構成に含むことを特徴とする。
【００１０】
請求項２に記載の本発明は、請求項１に記載の画像形成装置において、前記検知手段による前記検知対象としての前記トナー像を、複数のラインからなるピント調整パターンとすることを特徴とする。
【００１１】
請求項３に記載の本発明は、請求項２に記載の画像形成装置において、前記検知手段として前記ピント調整パターンの濃度を測定する濃度センサーを含むとともに、測定された前記濃度を前記検知結果とすることを特徴とする。
【００１２】
請求項４に記載の本発明は、請求項３に記載の画像形成装置において、前記調整機構と前記調整機構制御手段とにより前記複数のＬＥＤヘッドを一定量移動させ、この移動毎に前記検知手段にて前記ピント調整パターンの前記濃度を測定することを特徴とする。
【００１３】
請求項５に記載の本発明は、請求項４に記載の画像形成装置において、前記ピント調整パターンの前記濃度が最も薄くなる前記検知結果に基づいて前記位置調整量を求めることを特徴とする。
【００１４】
請求項６に記載の本発明は、請求項１、２、３、４又は５に記載の画像形成装置において、前記検知手段を、前記複数本のＬＥＤヘッドの各ＬＥＤヘッド端部位置に合わせて配置することを特徴とする。
【００１５】
請求項７に記載の本発明は、請求項１、２、３、４、５又は６に記載の画像形成装置において、前記検知手段を前記トナーの色の数だけ備えるとともに、前記検知手段を前記色毎に前記検知対象としての前記トナー像に合わせて配置することを特徴とする。
【発明の効果】
【００１６】
請求項１に記載された本発明によれば、像担時体に対する複数のＬＥＤヘッドの位置を調整する調整機構を備え、この調整機構を検知手段の検知結果に基づいて調整機構制御手段にて制御することから、作業者によらずに複数のＬＥＤヘッドの位置を調整することができるという効果を奏する。また、本発明によれば、検知手段により検知されたトナー像の検知結果から複数のＬＥＤヘッドの位置調整量を求め、そして、この位置調整量に基づいて複数のＬＥＤヘッドの位置を決定することから、正確に位置を調整することができるという効果を奏する。従って、本発明によれば、作業者の熟練度の有無に関係なく、各ＬＥＤヘッドの位置を正確に調整することができるという効果を奏する。
【００１７】
請求項２に記載された本発明によれば、検知手段による検知対象となるトナー像を、複数のラインからなるピント調整パターンとすることから、検知し易くすることができるという効果や、正確に検知することができるという効果を奏する。
【００１８】
請求項３に記載された本発明によれば、検知手段として濃度センサーを用いることから、センサーであれば正確に検知することができるという効果を奏する。また、本発明によれば、ピント調整パターンの濃度を測定してこれを検知結果とすることから、濃度であれば検知し易くすることができるという効果や、正確に検知することができるという効果を奏する。
【００１９】
請求項４に記載された本発明によれば、複数のＬＥＤヘッドを一定量移動させ、この移動毎に検知手段にてピント調整パターンの濃度を測定してこれを検知結果とすることから、正確に検知することができるという効果を奏する。
【００２０】
請求項５に記載された本発明によれば、ピント調整パターンの濃度が最も薄くなる検知結果に基づいて複数のＬＥＤヘッドの位置調整量を求め、そして、この位置調整量に基づいて複数のＬＥＤヘッドの位置を決定することから、検知精度を高めることができるという効果や、正確に位置を調整することができるという効果を奏する。
【００２１】
請求項６に記載された本発明によれば、複数本のＬＥＤヘッドの各ＬＥＤヘッド端部位置に合わせて検知手段を配置することから、精度良く検知することができるという効果を奏する。これにより、正確に位置を調整することができるという効果も奏する。
【００２２】
請求項７に記載された本発明によれば、検知手段をトナーの色の数だけ備えるとともに、検知手段を色毎に検知対象としてのトナー像に合わせて配置することから、トナーの色毎に正確な調整をすることができるという効果を奏する。
【図面の簡単な説明】
【００２３】
【図１】本発明の画像形成装置の概略図である（実施例１）。
【図２】調整機構制御手段の構成図である。
【図３】調整機構の制御に係るフローチャートである。
【図４】ピント位置検出に係る説明図である。
【図５】本発明の他の例となる画像形成装置の概略図である（実施例２）。
【図６】撮像手段の詳細を示す図であり、図５の矢視Ａ方向から見た図である。
【図７】撮像手段の詳細を示す図であり、図６の矢視Ｂ方向から見た図である。
【図８】図７から取付部材を取り外した図である。
【図９】調整機構の詳細を示す図である。
【図１０】検知手段の配置を示す簡略図である。
【発明を実施するための形態】
【００２４】
画像形成装置は、像担時体と、複数のＬＥＤヘッドと、像担時体に対する複数のＬＥＤヘッドの位置を調整する調整機構と、トナー像を検知する検知手段と、この検知手段の検知結果に基づいて調整機構を制御する調整機構制御手段とを含んで構成される。
【実施例１】
【００２５】
以下、図面を参照しながら実施例１を説明する。図１は本発明の画像形成装置の概略図である。また、図２は調整機構制御手段の構成図、図３は調整機構の制御に係るフローチャート、図４はピント位置検出に係る説明図である。
【００２６】
本発明に係る画像形成装置は、複写機やプリンター、ファクシミリ等の画像形成装置を対象としており、給紙部と、本体部と、排出部とを含んで構成される。給紙部は、転写材としての記録媒体を本体部へ供給するための図示しない手段を含んで構成される。また、排出部は、本体部における定着部（図示省略）を通過した記録媒体を排出する図示しない手段を含んで構成される。
【００２７】
図１において、画像形成装置の本体部は、作像手段３００と、転写手段３３０と、図示しない定着部と、ピント検出システム４００とを含んで構成される。尚、本体部の上記作像手段３００及び転写手段３３０等は、中間媒体と呼ばれることもある。
【００２８】
作像手段３００は、像担時体３１０と、除電手段３４０と、帯電手段３５０と、撮像手段１００と、現像手段３２０と、図示しない制御部とを含んで構成される。像担時体３１０は、所定の回転速度で回転する所謂感光ドラムであって、アルミニウム等のドラム状の基体の表面に電子写真感光体を有するように形成される。尚、感光体としては、ＯＰＣ感光体やアモルファスシリコン感光体等の公知の感光体が用いられるものとする。このような像担時体３１０の周辺の適宜位置には、除電手段３４０、帯電手段３５０、撮像手段１００、及び現像手段３２０がそれぞれ配置される。本実施例における除電手段３４０、帯電手段３５０、及び現像手段３２０は、公知のものが用いられる。以下、簡単に説明をする。
【００２９】
除電手段３４０は、像担時体３１０の表面に残留する電荷を消去して像担時体３１０の表面を中和するものであり、具体的にはイレーサランプがこれに該当する。帯電手段３５０は、除電手段３４０で中和された像担時体３１０の表面を特性極性に一様に帯電するものであり、具体的にはコロナ帯電器がこれに該当する。現像手段３２０は、後述する撮像手段１００により像担時体３１０に形成された静電潜像にトナーを付着させてトナー像を形成するものであり、具体的には、トナーが充填されたトナーカートリッジ３２１と、このトナーカートリッジ３２１から供給されたトナーが収容される現像容器３２２と、現像ローラ３２３とを備えて構成されたものが該当する。
【００３０】
撮像手段１００は、複数本のＬＥＤヘッドを有する。撮像手段１００は、例えばスキャナーにより読み込まれたデータや、その他外部から入力されたデータ等をＬＥＤヘッドにより投射して、像担時体３１０上に潜像を形成するように構成される。潜像を形成するにあたっては、図示しない制御部により撮像手段１００は制御される。尚、制御部は、撮像手段１００に限らず、像担時体３１０等の他の構成も制御するものとする。撮像手段１００の具体的な構成及び構造に関しては、後述する実施例２で詳細に説明をするものとする。
【００３１】
転写手段３３０は、像担時体３１０に現像されたトナー像が転写される転写ベルト３３１と、この転写ベルト３３１に転写されたトナー像を記録媒体まで搬送するため、転写ベルト３３１を駆動する転写ベルト駆動部３３３と、転写ベルト３３１の裏側に配置され転写部３３２として機能する転写ローラとを含んで構成される。
【００３２】
転写ベルト３３１は、無端状の合成樹脂フィルムから形成される。転写ベルト駆動部３３３は、駆動ローラ３３３ａと、従動ローラ３３３ｂと、テンションローラ３３３ｃとを有し、これら３つのローラ（３３３ａ〜３３３ｃ）により転写ベルト３３１は張架される。
【００３３】
転写ベルト３３１の上の適宜位置には、作像手段３００が配置される。また、転写ベルト３３１の上の適宜位置には、ピント検出システム４００の後述する検知手段４１０も配置される。
【００３４】
ピント検出システム４００は、像担時体３１０に対する撮像手段１００の焦点を調整することができるように、具体的には、撮像手段１００の各ＬＥＤヘッドの位置を正確に調整することができるように構成される。ピント検出システム４００は、調整機構２００と、検知手段４１０と、調整機構制御手段４２０とを含んで構成される。
【００３５】
調整機構２００は、撮像手段１００に作用する機構であって、特に限定するものでないが、偏心カムやこの偏心カムを駆動する駆動手段等を含んで構成される（詳細な構成及び構造は実施例２で説明するものとする）。調整機構２００は、偏心カムを駆動することにより、像担時体３１０に対しＬＥＤヘッドを近づけたり遠ざけたりすることができるような機構（一定量移動させることができるような機構）を有する。また、調整機構２００は、後述するが調整機構制御手段４２０による制御可能な機構を有する。
【００３６】
検知手段４１０は、本実施例において、転写ベルト３３１に転写されたトナー像を検知対象としてこれを検知することができるものである。検知手段４１０における検知部分の具体的な一例としては、濃度センサーがこれに該当する。濃度センサーは、本実施例において、後述するドット径や濃度を測定することができるセンサーであって、転写ベルト３３１に対しては作像手段３００よりも下流側（排出部側）に配置される。検知手段４１０は、特に図示しないが、調整機構制御手段４２０へ検知結果を出力したり、濃度センサーを所定位置に固定したりする構成を有する。
【００３７】
検知手段４１０による検知対象に関し、上記のような転写ベルト３３１に転写されたトナー像でなくてもよいものとする。例えば、像担時体３１０に形成されたトナー像や、録媒体（転写材）に転写されたトナー像などを検知対象としてもよいものとする（具体的な配置の説明は省略するものとする）。
【００３８】
検知手段４１０は、本実施例において、濃度を検知してこれを撮像手段１００の各ＬＥＤヘッドの位置調整に活用することができる構成であるが、位置調整、言い換えればピント調整に活用できる構成であれば特に上記のような濃度センサーを含む構成に限定されないものとする。
【００３９】
調整機構制御手段４２０は、調整機構２００を制御するとともに、検知手段４１０により検知されたトナー像の検知結果から各ＬＥＤヘッドの位置調整量を求め、そして、この位置調整量に基づいて像担時体３１０に対する各ＬＥＤヘッドの位置を決定することができるように構成される。
【００４０】
尚、調整機構制御手段４２０は、本実施例において専用の構成部分の如く図示されるが、撮像手段１００を制御するための上記制御部に含まれてもよいものとする。
【００４１】
図２において、調整機構制御手段４２０は、ＣＰＵ４２１（中央処理装置）と、ＲＯＭ４２２（リードオンリーメモリ）と、ＲＡＭ４２３（ランダムアクセスメモリ）と、インターフェース４２４（Ｉ／Ｆ）とを含んで構成される（必要に応じて他の記憶手段やタイマー等を含んでもよいものとする）。ＣＰＵ４２１は、ＲＯＭ４２２に記憶されたプログラムに従い処理を行う部分として用いられる。具体的には、撮像手段１００及び検知手段４１０に対する制御や、検知手段４１０からの検知結果に基づく各種演算を行う部分として用いられる。
【００４２】
ＲＡＭ４２３は、ＣＰＵ４２１の制御処理中や演算処理中に発生するデータを読み書きする部分として用いられる。インターフェース４２４は、入力や出力のインターフェースであって、本実施例においては調整機構２００や検知手段４１０との接続部分として用いられる。また、インターフェース４２４は、例えば外部操作を行うための操作部４２５との接続分としても用いられる。
【００４３】
ここで、調整機構制御手段４２０による処理、具体的には調整機構２００への制御やピント位置検出について、図３及び図４を参照しながら説明をする。
【００４４】
尚、図３のフローチャートに示してはいないが、予め初期設定等の処理がなされているものとする。
【００４５】
ステップＳ１の処理では、先ず検知対象を検知することが行われる。具体的には、検知手段４１０を構成する濃度センサーを用いてトナー像の濃度を検知することが行われる。検知対象となるトナー像としては、複数のラインからなるピント調整パターンＰである。ピント調整パターンＰの濃度（や径）が検知されると、この濃度に関するデータが記憶されるとともに、撮像手段１００を構成する各ＬＥＤヘッドの位置に関するデータ等も記憶される。
【００４６】
尚、本実施例において、初回となる検知の場合には、各ＬＥＤヘッドの位置に関するデータが初期位置のデータで記憶されるものとする。そして、この初期位置のデータが基準となって後の処理が順に進むと、どれだけ各ＬＥＤヘッドの位置が増減したのかが分かるような方法が本実施例では採用されるものとする（一例であるものとする。他の方法例は後述する）。
【００４７】
ピント調整パターンＰの濃度の検知に関し、もう少し具体的に説明すると、ピント調整パターンＰの各ラインは、ミクロ的に見るとドットの集合で形成される。このドットを濃度センサーにて検知した時に、ピントが合っていればドット径が最小になり（図４中の二等辺三角形をピントに見立てると、二等辺三角形の頂点にドットが一致する状態がピントの合っている状態になる）、また、その時の濃度は最も薄くなる。一方、ピントが合ってない状態においては、ドット径が大きくなり、その時の濃度はピントが合った状態よりも濃くなる。本実施例においては、このような濃度に関してデータ化し、利用するものとする。
【００４８】
ステップＳ２の処理では、ピント調整パターンＰの濃度の検知を所定回数行ったか否かの判定が行われる。まだ１回目の検知であれば、当然に各ＬＥＤヘッドの位置調整をすることができないことから、ステップＳ２での判定は「行ってない」の「Ｎ」判定となり、ステップＳ３の処理へ移行する。尚、所定回数とは、各ＬＥＤヘッドの位置調整のために必要十分な回数であり、図４では一例として９回の例が図示される。一方、ステップＳ２での判定で「所定回数行った」の「Ｙ」判定となると、この場合はステップＳ４の処理へ移行する。
【００４９】
ステップＳ３の処理では、調整機構制御手段４２０の制御により調整機構２００を作動させて各ＬＥＤヘッドを一定量移動させることが行われる。尚、一定量とは、上記ピント合わせを何段階かで行う程度の量に相当し、具体的には、調整機構２００の上記偏心カムを微少に駆動する程度の量である。
【００５０】
ステップＳ３の処理が完了すると、再度ステップＳ１の処理へ移行する。ステップＳ１の処理では、上記一定量移動させた後の新たなピント調整パターンＰの濃度が検知され、この濃度に関するデータが記憶されるとともに、上記一定量移動させた後の各ＬＥＤヘッドの位置に関するデータ等も記憶される。
【００５１】
ステップＳ４の処理では、ピント調整パターンＰの濃度が最も薄くなる検知結果に基づいて各ＬＥＤヘッドの位置調整量を求める処理が行われる。具体的には、記憶された複数の濃度に係るデータを比較して濃度が最も薄くなるデータを求め、この時の各ＬＥＤヘッドの位置に関するデータ等と、現在の位置に関するデータ等との差から、この後に調整機構制御手段４２０が調整機構２００に対して制御すべき位置調整量を決定する処理が行われる。ステップＳ４で位置調整量が求められると、ステップＳ５の処理へ移行する。
【００５２】
ステップＳ５の処理では、上記位置調整量に基づいて像担時体３１０に対する各ＬＥＤヘッドの位置調整が行われる。ステップＳ５の処理が行われることにより、各ＬＥＤヘッドは像担時体３１０に対し最適な位置に配置される。
【００５３】
尚、上記ステップＳ１〜Ｓ５の処理の説明において、初回となる検知の場合には、各ＬＥＤヘッドの位置に関するデータが初期位置のデータで記憶されるようになるが、初回の時点で像担時体３１０から各ＬＥＤヘッドまでの距離が分かっている場合には、この距離を基準にして以降の処理を進めるようにしてもよいものとする。
【００５４】
この他、ステップＳ１〜Ｓ５の処理は一例であり、例えば次のような処理に変更してもよいものとする。すなわち、上記ステップＳ１〜Ｓ３の処理では、ピント調整パターンＰの濃度検知を所定回数行っていたが、例えば一つ前に検知した濃度データに対し、薄いか濃いかの比較をしながら処理を進めて行き、最も薄いデータを見つけた時点でステップＳ４の処理へ移行するようにしてもよいものとする。
【００５５】
以上、図１ないし図４を参照しながら説明してきたように、本発明の画像形成装置によれば、像担時体３１０に対する各ＬＥＤヘッドの位置を調整する調整機構２００を備え、この調整機構２００を検知手段４１０の検知結果に基づいて調整機構制御手段４２０にて制御することから、作業者によらずに各ＬＥＤヘッドの位置を調整することができるという効果を奏する。
【００５６】
また、本発明の画像形成装置によれば、検知手段４１０により検知されたトナー像の検知結果から各ＬＥＤヘッドの位置調整量を求め、そして、この位置調整量に基づいて各ＬＥＤヘッドの位置を決定することから、正確に位置を調整することができるという効果を奏する。
【００５７】
従って、以上のことから、本発明の画像形成装置によれば、作業者の熟練度の有無に関係なく、各ＬＥＤヘッドの位置を正確に調整することができるという効果を奏する。
【００５８】
この他、本発明の画像形成装置によれば、検知手段４１０による検知対象となるトナー像を、複数のラインからなるピント調整パターンＰとすることから、検知し易くすることができるという効果や、正確に検知することができるという効果を奏する。
【００５９】
また、本発明の画像形成装置によれば、検知手段４１０の構成として濃度センサーを含むことから、センサーであれば正確に検知することができるという効果を奏する。また、本発明の画像形成装置によれば、ピント調整パターンＰの濃度を測定してこれを検知結果とすることから、濃度であれば検知し易くすることができるという効果や、正確に検知することができるという効果を奏する。
【００６０】
また、本発明の画像形成装置によれば、各ＬＥＤヘッドを一定量移動させ、この移動毎に検知手段４１０にてピント調整パターンＰの濃度を測定してこれを検知結果とすることから、検知精度を高めることができるという効果や、正確に位置を調整することができるという効果を奏する。
【００６１】
また、本発明の画像形成装置によれば、ピント調整パターンＰの濃度が最も薄くなる検知結果に基づいて各ＬＥＤヘッドの位置調整量を求め、そして、この位置調整量に基づいて各ＬＥＤヘッドの位置を決定することから、正確に位置を調整することができるという効果を奏する。
【実施例２】
【００６２】
以下、図面を参照しながら実施例２を説明する。図５は本発明の他の例となる画像形成装置の概略図である。また、図６は図５の矢視Ａ方向から見た撮像手段の詳細を示す図、図７は図６の矢視Ｂ方向から見た撮像手段の詳細を示す図、図８は図７から取付部材を取り外した図、図９は調整機構の詳細を示す図、図１０は検知手段の配置を示す簡略図である。
【００６３】
図５において、本実施例の画像形成装置は、転写材としての例えば記録媒体にカラー画像を形成することができるように構成される。図中の引用符号において、「Ｋ」が付くのはブラック、「Ｃ」が付くのはシアン、「Ｍ」が付くのはマゼンダ、「Ｙ」が付くのはイエローのトナー像を形成する構成部分を示すものとする。
【００６４】
尚、本実施例においては、後述する転写ベルト３３１の移動方向に合わせて上記順番に上記色のトナー像が形成されるものとするが、これに限定されるものではなく、「Ｙ」〜「Ｋ」の順番であってもよいものとする。
【００６５】
先ず、画像形成装置の構成について説明をする。画像形成装置は、転写ベルト３３１、転写ベルト駆動部３３３、及び転写部３３２を備える転写手段３３０と、転写ベルト３３１の移動方向に合わせて配置される作像手段３００Ｋ、３００Ｃ、３００Ｍ、及び３００Ｙと、図示しない制御部及び定着部と、調整機構２００、検知手段４１０、及び調整機構制御手段４２０を備えるピント検出システム４００とを含んで構成される。
【００６６】
転写手段３３０は、実施例１と同様であり、これを構成する転写ベルト３３１は、無端状の合成樹脂フィルムから形成される。このような転写ベルト３３１の裏側には、転写部３３２（３３２Ｋ〜３３２Ｙ）としての転写ローラが配置され、上記色のトナー像が転写される。転写ベルト駆動部３３３は、駆動ローラ３３３ａと、従動ローラ３３３ｂと、テンションローラ３３３ｃとを有する。転写ベルト３３１は、駆動ローラ３３３ａ、従動ローラ３３３ｂ、及びテンションローラ３３３ｃにより張架される。
【００６７】
作像手段３００Ｋは、像担時体３１０Ｋと、除電手段３４０Ｋと、帯電手段３５０Ｋと、撮像手段１００Ｋと、現像手段３２０Ｋとを含んで構成される。除電手段３４０Ｋ、帯電手段３５０Ｋ、撮像手段１００Ｋ、及び現像手段３２０Ｋは、像担時体３１０Ｋの周辺の適宜位置に配置される。除電手段３４０Ｋは、イレーサランプである。また、帯電手段３５０Ｋは、コロナ帯電器である。
【００６８】
現像手段３２０Ｋは、像担時体３１０Ｋに形成された静電潜像にトナーを付着させてトナー像を形成するものであり、ブラックのトナーが充填されたトナーカートリッジ３２１Ｋと、このトナーカートリッジ３２１Ｋから供給されたトナーが収容される現像容器３２２Ｋと、現像ローラ３２３Ｋとを備えて構成される。
【００６９】
撮像手段１００Ｋは、複数本のＬＥＤヘッドを有する。撮像手段１００Ｋは、例えばスキャナーにより読み込まれたデータや、その他外部から入力されたデータ等をＬＥＤヘッドにより投射して、像担時体３１０Ｋ上に潜像を形成するように構成される。撮像手段１００Ｋは、図示しない制御部により制御されるとともに、ピント検出システム４００の調整機構２００や調整機構制御手段４２０によっても制御される。
【００７０】
以上のような構成の作像手段３００Ｋの隣には、作像手段３００Ｃが配置される。作像手段３００Ｃは、像担時体３１０Ｃと、除電手段３４０Ｃと、帯電手段３５０Ｃと、撮像手段１００Ｃと、現像手段３２０Ｃとを含んで構成される。現像手段３２０Ｃは、トナーカートリッジ３２１Ｃと、現像容器３２２Ｃと、現像ローラ３２３Ｃとを備えて構成される。
【００７１】
作像手段３００Ｃの隣には、作像手段３００Ｍ、Ｙが順に配置される。作像手段３００Ｍ、Ｙは、像担時体３１０Ｍ、Ｙと、除電手段３４０Ｍ、Ｙと、帯電手段３５０Ｍ、Ｙと、撮像手段１００Ｍ、Ｙと、現像手段３２０Ｍ、Ｙとを含んで構成される。現像手段３２０Ｍ、Ｙは、トナーカートリッジ３２１Ｍ、Ｙと、現像容器３２２Ｍ、Ｙと、現像ローラ３２３Ｍ、Ｙとを備えて構成される。
【００７２】
従動ローラ３３３ｂの近傍で、尚かつ転写ベルト３３１の上の適宜位置には、ピント検出システム４００の検知手段４１０を構成する濃度センサーが配置される。尚、ピント検出システム４００の機能は実施例１と同じであり、ここでの説明は省略するものとする。
【００７３】
次に、図６ないし図９を参照しながら、撮像手段１００（１００Ｋ、１００Ｃ、１００Ｍ、１００Ｙ）の構成及び構造について説明をする。尚、以下説明及び図面上では、引用符号に「Ｋ」〜「Ｙ」を付けるのを省略するものとする。
【００７４】
図６において、撮像手段１００は、所謂露光装置であって、複数のＬＥＤ素子を主走査方向にアレイ状に並べたＬＥＤヘッド１１０を複数本（本実施例では３本）有する。この複数本のＬＥＤヘッド１１０は、副走査方向に千鳥状に配置される。ＬＥＤヘッド１１０は、公知のものが用いられる。
【００７５】
各ＬＥＤヘッド１１０は、取付部材１１１を介して（露光装置内に）組み付けられる。取付部材１１１は、金属製の薄状の板材からなり、これを折り曲げ加工することにより形成される。尚、取付部材１１１を金属製とするのは、各ＬＥＤヘッド１１０に生じた熱を伝えて外部へと放出し易くするためである。
【００７６】
取付部材１１１に組み付けられた各ＬＥＤヘッド１１０の両端部には、保持手段１１２及び付勢手段１１３が設けられる。また、上記両端部の近傍位置で取付部材１１１の側部には、調整機構２００がそれぞれ設けられる。
【００７７】
保持手段１１２は、ロッドからなり、各ＬＥＤヘッド１１０の両端部にそれぞれ固定される。保持手段１１２は、付勢手段１１３からの付勢力を受ける部分として形成される。付勢手段１１３は、例えばコイルスプリング等の弾性部材であって、像担時体３１０（図５参照）側へ向けた外力が加わると、保持手段１１２を介してＬＥＤヘッド１１０を引き戻すことができるような状態に取り付けられる。
【００７８】
付勢手段１１３の付勢力が作用するＬＥＤヘッド１１０は、取付部材１１１の図示しない規制部に当接して、像担時体３１０に対し必要以上に近づかないように組み付けられる。すなわち、ＬＥＤヘッド１１０は、上記外力が加わっても像担時体３１０との距離が一定に保たれるように組み付けられる。
【００７９】
図６ないし図９において、調整機構２００は、本実施例において、ＬＥＤヘッド１１０の上方に配置される。また、調整機構２００は、保持手段１１２に対して独立した状態に設けられる。調整機構２００は、偏心カム２１０と、駆動手段２２０とを含んで構成される。
【００８０】
調整機構２００は、ＬＥＤヘッド１１０の焦点を調整する機構として設けられる。具体的には、像担時体３１０（図５参照）との距離を一定に保たせた状態において、各ＬＥＤヘッド１１０及び取付部材１１１の寸法誤差、付勢手段１１３の付勢力のバラツキ、ＬＥＤヘッド１１０の組み付け等による機械精度誤差、さらには、ＬＥＤヘッド１１０を作動させた時に生じる発光熱によるＬＥＤ素子の膨張等により生じる、ＬＥＤヘッド１１０と像担時体３１０とのズレを微調整する機構として調整機構２００は設けられる。
【００８１】
偏心カム２１０は、駆動手段２２０の駆動力を伝達する伝達ギア２１１と、ＬＥＤヘッド１１０に接する押圧ローラ２１２とを備えて構成される。伝達ギア２１１と押圧ローラ２１２は、取付部材１１１に設けられた取付軸２１３に、偏心して回転可能に支持される。押圧ローラ２１２は、ＬＥＤヘッド１１０と略同じ幅に形成される（図９参照）。すなわち、押圧ローラ２１２は、ＬＥＤヘッド１１０を効果的に押圧することができるように形成される。このような押圧ローラ２１２は、ＬＥＤヘッド１１０上に配置される（そのため、調整機構２００を設置する余分なスペースをなくし、装置自体の小型化を図ることができるという利点を有する）。
【００８２】
駆動手段２２０は、回転軸２２１が設けられた駆動源２２２と、ピニオンギア２２３とを備えて構成される。ピニオンギア２２３は、回転軸２２１に直結して設けられ、駆動源２２２からの駆動力を伝達ギア２１１に伝達することができるように構成される。駆動源２２２は、図５に示す検知手段４１０の検知結果に基づいて調整機構制御手段４２０により制御され、所定量、作動するように構成される。すなわち、駆動源２２２の作動により、ＬＥＤヘッド１１０の焦点（位置）が調整される。
【００８３】
続いて、図１０を参照しながら検知手段４１０を構成する濃度センサーの具体的な配置について説明をする。尚、図中では濃度センサーを検知手段４１０として図示するものとする。検知手段４１０の機能は実施例１と同じである。
【００８４】
検知手段４１０は、副走査方向に千鳥状に配置された複数本のＬＥＤヘッド１１０に対し、これらが重なった部分１１０ａと、両側１１０ｂ（ＬＥＤヘッド１１０が重なってない部分）とに対応して配置される。すなわち、検知手段４１０は、各ＬＥＤヘッド１１０の各端部の位置（各ＬＥＤヘッド端部位置）に合わせて配置される。もう少し具体的に説明すると、重なった部分１１０ａにおいては、重なりの中央位置で、各端部から距離Ｌとなる位置に合わせて配置される。また、両側１１０ｂにおいては、端部から距離Ｌとなる位置に合わせて配置される。
【００８５】
検知手段４１０は、本実施例において４箇所に配置される。このように４箇所にてピント調整パターンＰ（図４参照）が検知され、そして、この検知結果から各ＬＥＤヘッド１１０の位置調整量が求められることから、各ＬＥＤヘッド１１０の位置を正確に調整することができるという効果を奏する。
【００８６】
以上、図５ないし図１０を参照しながら説明してきたように、実施例２も実施例１と同様の効果を奏する。すなわち、実施例２の画像形成装置によれば、作業者の熟練度の有無に関係なく、各ＬＥＤヘッド１１０の位置を正確に調整することができるという効果を奏する。
【００８７】
また、実施例２の画像形成装置によれば、トナーの色毎に正確な調整をすることができるという効果も奏する。
【００８８】
この他、本発明は本発明の主旨を変えない範囲で種々変更実施可能なことは勿論である。
【符号の説明】
【００８９】
１００…撮像手段
１１０…ＬＥＤヘッド
２００…調整機構
２１０…偏心カム
２２０…駆動手段
３００…作像手段
３１０…像担時体
３２０…現像手段
３３０…転写手段
３３１…転写ベルト
３３２…転写部
３３３…転写ベルト駆動部
３４０…除電手段
３５０…帯電手段
４００…ピント検出システム
４１０…検知手段
４２０…調整機構制御手段
【図１】
2014188719.tif 000003
【図２】
2014188719.tif 000004
【図３】
2014188719.tif 000005
【図４】
2014188719.tif 000006
【図５】
2014188719.tif 000007
【図６】
2014188719.tif 000008
【図７】
2014188719.tif 000009
【図８】
2014188719.tif 000010
【図９】
2014188719.tif 000011
【図１０】
2014188719.tif 000012